(57)【特許請求の範囲】
【請求項１】
既設サッシの室外側に外付けサッシを増設するサッシの取り付け構造において、
前記既設サッシのサッシ枠を構成する上枠、下枠、右枠及び左枠のうち、前記上枠、前記右枠及び前記左枠に断面がコの字状の第一補助部材をそれぞれ嵌め込み、平坦面を構成し、
前記第一補助部材には、前記平坦面の一部から外側に向かって突出する突出部が一体的に形成されており、
前記下枠に、前記下枠に形成されていたレールよりも低くない高さを有する第二補助部材を取り付け、
前記外付けサッシを支持している支持枠を、当該支持枠の外周面が前記第一補助部材の前記平坦面に接するように前記突出部よりも室外側において前記第一補助部材に取り付け、かつ、前記第二補助部材に取り付け、
室内側から見て、前記突出部により、前記支持枠の外周面が前記第一補助部材の前記平坦面に接する接続領域が覆われることを特徴とするサッシの取り付け構造。
【請求項２】
前記上枠、前記右枠及び前記左枠の少なくとも何れか一つの中には断熱材を埋め込むことを特徴とする請求項１に記載のサッシの取り付け構造。
【請求項３】
前記既設サッシのサッシ枠と前記第一補助部材との接続領域を隠す化粧板が室内側から取り付けられていることを特徴とする請求項１または２に記載のサッシの取り付け構造。
【請求項４】
前記外付けサッシの前記支持枠と前記第一補助部材との接続領域をシールする防水シールが室外側から取り付けられていることを特徴とする請求項１乃至３の何れか一項に記載のサッシの取り付け構造。
【請求項５】
前記第一補助部材の側面が室内側から見えるように前記第一補助部材を前記上枠、前記右枠及び前記左枠の少なくとも何れか一つに嵌め込むことを特徴とする請求項１乃至４の何れか一項に記載のサッシの取り付け構造。
【請求項６】
前記第一補助部材はアルミニウムからなり、その表面には樹脂がコーティングされているものであることを特徴とする請求項１乃至５の何れか一項に記載のサッシの取り付け構造。
【請求項７】
既設サッシの室外側に外付けサッシを増設するサッシの取り付け方法において、
前記既設サッシを取り外す第一の工程と、
前記既設サッシのサッシ枠を構成する上枠、下枠、右枠及び左枠のうち、前記上枠、前記右枠及び前記左枠に断面がコの字状の第一補助部材をそれぞれ嵌め込み、平坦面を構成する第二の工程と、
前記下枠に、前記下枠に形成されていたレールよりも低くない高さを有する第二補助部材を取り付ける第三の工程と、
前記外付けサッシを支持している支持枠を、当該支持枠の外周面が前記第一補助部材の前記平坦面に接するように前記第一補助部材に取り付け、かつ、前記第二補助部材に取り付ける第四の工程と、
を備え、
前記第一補助部材には、前記平坦面の一部から外側に向かって突出する突出部が一体的に形成されており、前記第四の工程において、前記支持枠は前記突出部よりも室外側において前記第一補助部材に取り付けられ、
室内側から見て、前記突出部により、前記支持枠の外周面が前記第一補助部材の前記平坦面に接する接続領域が覆われることを特徴とするサッシの取り付け方法。
【請求項８】
前記上枠、前記右枠及び前記左枠の少なくとも何れか一つの中に断熱材を埋め込む工程をさらに備えることを特徴とする請求項７に記載のサッシの取り付け方法。
【請求項９】
前記既設サッシのサッシ枠と前記第一補助部材との接続領域を隠す化粧板が室内側から取り付ける工程をさらに備えることを特徴とする請求項７または８に記載のサッシの取り付け方法。
【請求項１０】
前記外付けサッシのサッシ枠と前記第一補助部材との接続領域をシールする防水シールを室外側から取り付ける工程をさらに備えることを特徴とする請求項７乃至９の何れか一項に記載のサッシの取り付け方法。
【請求項１１】
前記第二の工程において、前記第一補助部材の側面が室内側から見えるように前記第一補助部材を前記上枠、前記右枠及び前記左枠の少なくとも何れか一つに嵌め込むことを特徴とする請求項７乃至１０の何れか一項に記載のサッシの取り付け方法。
【発明の詳細な説明】
【技術分野】
【０００１】
本発明は、既設サッシ（例えば、一重サッシ）の外側に、既設サッシに代えて、新たなサッシ（例えば、二重サッシ）を増設するためのサッシの取り付け構造及びサッシの取り付け方法に関する。
【背景技術】
【０００２】
近年、遮音や気密性維持のために窓をサッシ構造とすることが増えている。
【０００３】
サッシを、例えば、防音サッシとして使用する場合には、予め周囲の騒音を測定したうえで、その騒音を遮蔽できるようなサッシが選定される。
【０００４】
しかしながら、一旦サッシを設置した後に、周囲の環境が変化したような場合、すなわち、交通量の増加や道路（特に、高速道路）の新規建設に伴い騒音が増加するような場合であっても、一旦設置したサッシを新しいサッシに交換することは従来は困難であった。
【０００５】
このため、特許文献１は、そのような環境変化に対応するための方策として、既設サッシの外側に新しいサッシを増設する方法を提案している。
【特許文献１】特開２００２−１０６２６１号公報
【発明の開示】
【発明が解決しようとする課題】
【０００６】
しかしながら、特許文献１に記載された方法は、既設サッシをそのまま設置しておいた状態で新たなサッシを増設するものであるため、既設サッシの室外側にかなりのスペースを必要とするものであり、スペースに制約がある場合には、新たなサッシを増設することが不可能になることもあった。
【０００７】
本発明はこのような問題点に鑑みてなされたものであり、新たなサッシを増設する場合に、新たなサッシの増設に必要なスペースを最小限にするサッシの取り付け構造及びサッシの取り付け方法を提供することを目的とする。
【課題を解決するための手段】
【０００８】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【０００９】
上記の目的を達成するため、本発明は、既設サッシの室外側に外付けサッシ（１３０）を増設するサッシの取り付け構造において、前記既設サッシのサッシ枠を構成する上枠（１０１）、下枠（１０２）、右枠（１０３）及び左枠（１０４）のうち、前記上枠（１０１）、前記右枠（１０３）及び前記左枠（１０４）に断面がコの字状の第一補助部材（１１０）をそれぞれ嵌め込み、平坦面（１１１）を構成し、前記第一補助部材（１１０）には、前記平坦面（１１１）の一部から外側に向かって突出する突出部（１５０）が一体的に形成されており、前記下枠（１０２）に、前記下枠（１０２）に形成されていたレール（１０６）よりも低くない高さを有する第二補助部材（１２０）を取り付け、前記外付けサッシ（１３０）を支持している支持枠（１３１）を、当該支持枠（１３１）の外周面が前記第一補助部材（１１０）の前記平坦面（１１１）に接するように前記突出部（１５０）よりも室外側において前記第一補助部材（１１０）に取り付け、かつ、前記第二補助部材（１２０）に取り付け、室内側から見て、前記突出部（１５０）により、前記支持枠（１３１）の外周面が前記第一補助部材（１１０）の前記平坦面（１１１）に接する接続領域が覆われることを特徴とするサッシの取り付け構造を提供する。
【００１０】
前記上枠（１０１）、前記右枠（１０３）及び前記左枠（１０４）の少なくとも何れか一つの中には断熱材（１４０）を埋め込むことが好ましい。
【００１１】
前記既設サッシのサッシ枠と前記第一補助部材（１１０）との接続領域を隠す化粧板（１４１）が室内側から取り付けられていることが好ましい。
【００１２】
前記第一補助部材（１１０）の側面（１１２ａ）が室内側から見えるように前記第一補助部材（１１０）を前記上枠（１０１）、前記右枠（１０３）及び前記左枠（１０４）の少なくとも何れか一つに嵌め込むことが好ましい。
【００１３】
前記外付けサッシ（１３０）の支持枠と前記第一補助部材（１１０）との接続領域をシールする防水シール（１４２）が室外側から取り付けられていることが好ましい。
【００１５】
前記第一補助部材（１１０）は、例えば、アルミニウムからなり、その表面には樹脂がコーティング（１５１）されていることが好ましい。
【００１６】
本発明は、さらに、既設サッシの室外側に外付けサッシ（１３０）を増設するサッシの取り付け方法において、前記既設サッシを取り外す第一の工程と、前記既設サッシのサッシ枠を構成する上枠（１０１）、下枠（１０２）、右枠（１０３）及び左枠（１０４）のうち、前記上枠（１０１）、前記右枠（１０３）及び前記左枠（１０４）に断面がコの字状の第一補助部材（１１０）をそれぞれ嵌め込み、平坦面（１１１）を構成する第二の工程と、前記下枠（１０２）に、前記下枠（１０２）に形成されていたレール（１０６）よりも低くない高さを有する第二補助部材（１２０）を取り付ける第三の工程と、前記外付けサッシ（１３０）を支持している支持枠（１３１）を、当該支持枠（１３１）の外周面が前記第一補助部材（１１０）の前記平坦面（１１１）に接するように前記第一補助部材（１１０）に取り付け、かつ、前記第二補助部材（１２０）に取り付ける第四の工程と、を備え、前記第一補助部材（１１０）には、前記平坦面（１１１）の一部から外側に向かって突出する突出部（１５０）が一体的に形成されており、前記第四の工程において、前記支持枠（１３１）は前記突出部（１５０）よりも室外側において前記第一補助部材（１１０）に取り付けられ、室内側から見て、前記突出部（１５０）により、前記支持枠（１３１）の外周面が前記第一補助部材（１１０）の前記平坦面（１１１）に接する接続領域が覆われることを特徴とするサッシの取り付け方法を提供する。
【００１７】
本発明に係るサッシの取り付け方法は、前記上枠（１０１）、前記右枠（１０３）及び前記左枠（１０４）の少なくとも何れか一つの中に断熱材（１４０）を埋め込む工程をさらに備えることが好ましい。
【００１８】
本発明に係るサッシの取り付け方法は、前記既設サッシのサッシ枠と前記第一補助部材（１１０）との接続領域を隠す化粧板（１４１）が室内側から取り付ける工程をさらに備えることが好ましい。
【００１９】
本発明に係るサッシの取り付け方法は、前記外付けサッシ（１３０）のサッシ枠と前記第一補助部材（１１０）との接続領域をシールする防水シール（１４２）を室外側から取り付ける工程をさらに備えることが好ましい。
【００２０】
前記第二の工程において、前記第一補助部材（１１０）の側面（１１２ａ）が室内側から見えるように前記第一補助部材（１１０）を前記上枠（１０１）、前記右枠（１０３）及び前記左枠（１０４）の少なくとも何れか一つに嵌め込むことが好ましい。
【発明の効果】
【００２１】
本発明に係るサッシの取り付け構造またはサッシの取り付け方法によれば、例えば、一重サッシを容易に二重サッシに交換することが可能である。この際、既設サッシを取り外したうえで、外付けサッシを取り付けるため、必要以上に大きなスペースを占有する必要がなく、サッシの取り付け領域をコンパクトにすることができる。
【００２２】
さらに、上枠、右枠及び左枠の少なくとも何れか一つに断熱材を埋め込むことにより、室外側に対する室内側の断熱性能を高めることができる。
【００２３】
また、化粧板を取り付けることにより、外付けサッシの室内側からの外観を向上させることができる。
【００２４】
また、防水シールを取り付けることにより、雨その他の水分が室外側から室内側に侵入することを防止することができる。
【００２５】
さらに、第一補助部材に突出部を形成することにより、第一補助部材と外付けサッシの支持枠との接続領域が覆われることとなるため、支持枠と上枠との間に生じた隙間も突出部により覆われることになり、室内側からは隙間は見えなくなる。
【発明を実施するための最良の形態】
【００２６】
［第一の実施形態］
図１は、本発明の第一の実施形態に係るサッシの取り付け構造の縦断面図であり、図２は、本発明の第一の実施形態に係るサッシの取り付け構造の横断面図である。
【００２７】
本実施形態に係るサッシの取り付け構造においては、既設サッシは取り外され、既設サッシの室外側に新たなサッシが増設される。
【００２８】
図１に示すように、取り外された既設サッシ（図示せず）のサッシ枠を構成する上枠１０１、下枠１０２、右枠１０３（図２参照）及び左枠１０４（図２参照）のうち、上枠１０１及び下枠１０２に形成されたサッシ用レール１０５、１０６が水平方向に延びており、さらに、右枠１０３及び左枠１０４に形成されたサッシの位置決め部材１０７、１０８が垂直方向に延びている。
【００２９】
図１及び図２に示すように、上枠１０１、右枠１０３及び左枠１０４には、断面がコの字状の第一補助部材１１０がそれぞれ嵌め込まれる。
【００３０】
図３は、第一補助部材１１０の斜視図である。
【００３１】
図３に示すように、第一補助部材１１０は、平坦面１１１と、平坦面１１１の両端から平坦面１１１に垂直に延びた側面１１２と、からなり、縦断面（長手方向と直交する断面）は「コ」の字の形状をなしている。
【００３２】
各側面１１２には、ネジ溝が切られている複数個のネジ孔１１３が一直線状に配列されており、上枠１０１、右枠１０３及び左枠１０４に第一補助部材１１０を嵌め込んだ後、第一補助部材１１０は上枠１０１、右枠１０３及び左枠１０４の外側からネジ１１５で固定される。
【００３３】
また、平坦面１１１には、ネジ溝が切られている複数個のネジ孔１１４が長手方向に一直線上に形成されている。後述するように、新たなサッシのサッシ枠がネジを介してネジ孔１１４に固定される。なお、ネジ孔１１４は第一補助部材１１０の中心線よりも室外側に近い位置に設けられている。
【００３４】
なお、右枠１０３及び左枠１０４に取り付けられる第一補助部材１１０にはネジ孔１１４は必ず設けられていることが必要であるが、上枠１０１に取り付けられる第一補助部材１１０にはネジ孔１１４は必ずしも設けられている必要はない。
【００３５】
第一補助部材１１０を上枠１０１、右枠１０３及び左枠１０４に嵌め込むことにより、サッシ用レール１０５及び位置決め部材１０７、１０８は第一補助部材１１０の内部に隠れることになり、第一補助部材１１０の平坦面１１１のみが現われる。
【００３６】
さらに、下枠１０２には、下枠１０２に形成されていたレール１０６よりも高い第二補助部材１２０が取り付けられる。
【００３７】
図４は、第二補助部材１２０の斜視図である。
【００３８】
図４に示すように、第二補助部材１２０は、底面１２１と、底面１２１の一端から底面１２１に垂直に延びた側面１２２と、からなり、全体的には、「Ｌ」字型をなしている。
【００３９】
底面１２１には複数個の貫通孔１２３が一直線上に形成され、同様に、側面１２２にも複数個の貫通孔１２４が一直線上に形成されている。
【００４０】
第二補助部材１２０は、ネジ１２５を貫通孔１２３を介して下枠１０２にネジ止めすることにより、下枠１０２に対して固定される。
【００４１】
図１に示すように、第二補助部材１２０を下枠１０２の底面に固定した状態においては、側面１２２は下枠１０２に形成されているレール１０６よりも高くなるような高さを有している。
【００４２】
図５は、本実施形態に係るサッシ取り付け構造を完成するための各工程を示すフローチャートである。
【００４３】
以下、図５を参照して、本実施形態に係るサッシ取り付け構造の製造工程を説明する。
【００４４】
まず、窓から既設サッシ（図示せず）を取り外す（ステップＳ１０１）。
【００４５】
次いで、第一補助部材１１０を上枠１０１、右枠１０３及び左枠１０４に嵌め込み、ネジ１１５を介して固定する（ステップＳ１０２）。この結果、上枠１０１、右枠１０３及び左枠１０４には、第一補助部材１１０の平坦面１１１のみが現われる。
【００４６】
次いで、第二補助部材１２０を下枠１０２にネジ１２５を介して固定する（ステップＳ１０３）。
【００４７】
なお、第一補助部材１１０の取り付け（ステップＳ１０２）と第二補助部材１２０の取り付け（ステップＳ１０３）の順序はこの順序に限定されるものではなく、逆になってもよい。
【００４８】
次いで、増設する外付けサッシ１３０を支持している支持枠１３１を第一補助部材１１０及び第二補助部材１２０に対して固定する（ステップＳ１０４）。
【００４９】
外付けサッシ１３０は、その上部において、ネジ１２６を第一補助部材１１０の平坦面１１１に設けられたネジ孔１１４にネジ止めすることにより、第一補助部材１１０に対して固定される。
【００５０】
さらに、外付けサッシ１３０は、その下部において、ネジ１２７を第二補助部材１２０の側面１２２に設けられた貫通孔１２４に通し、さらに、外付けサッシ１３０の支持枠１３１に形成されたネジ孔（図示せず）にネジ止めすることにより、第二補助部材１２０に対して固定される。
【００５１】
これにより、外付けサッシ１３０は、既に取り外した既設サッシの室外側において、取り付けられる。なお、外付けサッシ１３０のサイズは既設サッシのサイズよりも小さい。
【００５２】
以上のように、本実施形態に係るサッシ取り付け構造によれば、例えば、一重サッシを容易に二重サッシに交換することが可能である。この際、既設サッシを取り外したうえで、外付けサッシ１３０を取り付けるため、必要以上に大きなスペースを占有する必要がなく、サッシの取り付け領域をコンパクトにすることができる。
【００５３】
なお、本実施形態に係るサッシ取り付け構造は以上のような構成に限定されるものではなく、種々の改変が可能である。以下、その例を説明する。
【００５４】
例えば、図１及び図２に示すように、第一補助部材１１０を上枠１０１、右枠１０３及び左枠１０４に嵌め込む前に、上枠１０１のレール１０５の間に形成されているスペースや、右枠１０３及び左枠１０４の位置決め部材１０７、１０８により形成されているスペースには断熱材１４０を埋め込むことができる。第一補助部材１１０は断熱材１４０を埋め込んだ後に、上枠１０１、右枠１０３及び左枠１０４に嵌め込まれる。
【００５５】
このように、上枠１０１、右枠１０３及び左枠１０４に断熱材１４０を埋め込むことにより、室外側に対する室内側の断熱性能を高めることができる。
【００５６】
なお、断熱材１４０は上枠１０１、右枠１０３及び左枠１０４の全てに埋め込むことは必ずしも必要ではなく、何れか一つまたは二つに埋め込むことも可能である。
【００５７】
また、断熱材１４０は下枠１０２の内部に埋め込むことも可能である。
【００５８】
また、図１及び図２に示すように、第一補助部材１１０を上枠１０１、右枠１０３及び左枠１０４に嵌め込んだ後に、第一補助部材１１０と上枠１０１、右枠１０３及び左枠１０４との接続領域を隠す化粧板１４１室内側から取り付けることも可能である。
【００５９】
化粧板１４１は、例えば、外付けサッシ１３０の支持枠１３１に対してネジ止めすることにより、取り付けることができる。あるいは、化粧板１４１は第一補助部材１１０に対して固定することも可能である。
【００６０】
このように化粧板１４１を取り付けることにより、外付けサッシ１３０の室内側からの外観を向上させることができる。
【００６１】
また、外付けサッシ１３０の支持枠１３１と第一補助部材１１０との接続領域をシールする防水シール１４２を室外側から取り付けることも可能である。
【００６２】
なお、第二補助部材１２０は室外側には露出しないので、下枠１０２に関しては、防水シール１４２は外付けサッシ１３０の支持枠１３１に対して直接取り付けられる。
【００６３】
防水シール１４２は、例えば、ネジ１４３を介して上枠１０１、右枠１０３及び左枠１０４に取り付けられる。あるいは、防水シール１４２は外付けサッシ１３０の支持枠１３１に取り付けることも可能である。
【００６４】
防水シール１４２を取り付けることにより、雨その他の水分が室外側から室内側に侵入することを防止することができる。
【００６５】
［第二の実施形態］
図６は、本発明の第二の実施形態に係るサッシの取り付け構造の縦断面図であり、図７は、本発明の第二の実施形態に係るサッシの取り付け構造の横断面図である。
【００６６】
本実施形態においては、図７に示すように、既設サッシの右枠１０３及び左枠１０４の形状が第一の実施形態における右枠１０３及び左枠１０４の形状（図２参照）とは異なっている。すなわち、本実施形態における右枠１０３及び左枠１０４は、第一の実施形態における右枠１０３及び左枠１０４とは異なり、その一部に、突出した平坦面１０３Ａ、１０４Ａを構成している。
【００６７】
このため、右枠１０３に嵌め込まれる第一補助部材１１０Ａの幅（長手方向に直交する方向の長さ）が第一の実施形態における第一補助部材１１０の幅よりも短くなっている。第一補助部材１１０Ａが右枠１０３に嵌め込まれたときに、第一補助部材１１０Ａの平坦面１１１は右枠１０３の平坦面１０３Ａと同一平面をなし、一体となって、平坦面を構成する。
【００６８】
なお、必ずしも第一補助部材１１０Ａを使用する必要はなく、左枠１０４のように、第一の実施形態における第一補助部材１１０を用いることも可能である。
【００６９】
すなわち、右枠１０３及び左枠１０４がその一部に突出した平坦面１０３Ａ、１０４Ａを構成している場合には、第一補助部材１１０Ａ及び第一補助部材１１０の何れをも用いることが可能である。
【００７０】
ただし、第一補助部材１１０を用いる場合には、図７に示すように、突出した平坦面１０４Ａとの抵触を避けるため、「コ」の字型断面ではなく、「Ｌ」字型断面のものを用いることが必要になる。
【００７１】
さらに、図６に示すように、本実施形態における第二補助部材１２０Ａは第一の実施形態における第二補助部材１２０と形状が異なっている。具体的には、第一の実施形態における第二補助部材１２０の側面１２２は下枠１０２に形成されたレール１０６よりも高くなるように形成されていたが、本実施形態における第二補助部材１２０Ａの側面１２２は下枠１０２に形成されたレール１０６とほぼ同じ高さになるように形成されている。
【００７２】
このように、第二補助部材１２０Ａは、下枠１０２に形成されたレール１０６よりも低くない側面１２２を有するものであればよい。
【００７３】
なお、本実施形態に係るサッシの取り付け構造は断熱材１４０が設けられていない例である。
【００７４】
［第三の実施形態］
図８は、本発明の第三の実施形態に係るサッシの取り付け構造の縦断面図である。
【００７５】
本実施形態においては、図８に示すように、下枠１０２のレール１０６が同じ高さにはなく、一方１０６ａが他方１０６ｂよりも高い位置に配置されている。このため、本実施形態における第二補助部材１２０Ａは、高い方のレール１０６ａと並列に取り付けられており、第二補助部材１２０Ａの側面１２２はレール１０６ａと同じ高さに設定されている。
【００７６】
このように、下枠１０２のレールの高さが異なる場合には、高い方のレールに合わせて第二補助部材１２０Ａが取り付けられる。
【００７７】
［第四の実施形態］
上述の第一乃至第三の実施形態においては、第一補助部材１１０は上枠１０１、右枠１０３及び左枠１０４の内部に嵌め込まれていた。
【００７８】
すなわち、具体的には、図９に示すように、第一補助部材１１０は、その両側面１１２が上枠１０１の内壁に接するようにして、上枠１０１の内部に嵌め込まれていた（右枠１０３及び左枠１０４についても同様である）。
【００７９】
図１０は、本実施形態における第一補助部材１１０と上枠１０１との位置関係を示す断面図である。
【００８０】
本実施形態においては、第一補助部材１１０は、両側面１１２のうちの室内側の側面１１２ａが上枠１０１の外壁に接するように、すなわち、側面１１２ａが室内側から見えるようにして、上枠１０１の内部に嵌め込まれる。
【００８１】
このように、第一補助部材１１０の側面１１２ａが室内側から見えるように上枠１０１に嵌め込まれることにより、第一補助部材１１０の側面１１２ａの表面を化粧板として加工しておけば、第一の実施形態における化粧板１４１を使用する必要がなくなり、工程数の削減及び部品数の低減を図ることができる。
【００８２】
図１０は上枠１０１について示したが、右枠１０３及び左枠１０４についても同様である。なお、上枠１０１、右枠１０３及び左枠１０４の全てについて第一補助部材１１０を本実施形態のように嵌め込む必要はなく、上枠１０１、右枠１０３及び左枠１０４のうち少なくとも何れか一つについて行うことが可能である。
【００８３】
［第五の実施形態］
経年変化、気候の変化あるいは既存のサッシの歪みなどに起因して、外付けサッシ１３０の支持枠１３１と上枠１０１、右枠１０３及び左枠１０４との間に隙間が生じることがある。
【００８４】
図１１は外付けサッシ１３０の支持枠１３１が歪んだ状況を示す概略図である。
【００８５】
図１１に示すように、経年変化、気候の変化あるいは既存のサッシの歪みなどに起因して、外付けサッシ１３０の支持枠１３１それ自体が歪み、支持枠１３１と上枠１０１、右枠１０３及び左枠１０４との間に隙間１０１Ａ、１０３Ａ、１０４Ａが生じる。このため、隙間１０１Ａ、１０３Ａ、１０４Ａを介して室内から室外が見えることになり、住環境を損なう一因となる。
【００８６】
本発明の第五の実施形態に係るサッシの取り付け構造においては、このような問題を解決するため、第一補助部材１１０の構造を変更する。
【００８７】
図１２は、本実施形態における第一補助部材１１０を上枠１０１に取り付けた状態を示す部分的な断面図である。
【００８８】
図１２に示すように、本実施形態における第一補助部材１１０には、平坦面１１１から外側（図１２においては下枠１０２の方向）に向かって突出する突出部１５０が形成されている。
【００８９】
突出部１５０は平坦面１１１の一部を外側に向かって矩形状に膨らませた形状をなしている。
【００９０】
この突出部１５０により、第一補助部材１１０と外付けサッシ１３０の支持枠１３１との接続領域が覆われることとなる。このため、支持枠１３１と上枠１０１との間の隙間１０１Ａも突出部１５０により覆われることになり、室内側からは隙間１０１Ａは見えなくなる。
【００９１】
なお、突出部１５０の形状は図１２に示したものに限定されるものではなく、種々の形状をとり得る。
【００９２】
図１３は、第一の変形例に係る突出部１５０を有する第一補助部材１１０を上枠１０１に取り付けた状態を示す部分的な断面図である。
【００９３】
図１３に示すように、突出部１５０は第一補助部材１１０の平坦面１１１から外側に突出する板状の部材として形成することも可能である。本変形例に係る突出部１５０は平坦面１１１のほぼ中央から突出している。
【００９４】
本変形例に係る板状の突出部１５０は、例えば、溶接により、第一補助部材１１０の平坦面１１１に取り付けられる。
【００９５】
図１４は、第二の変形例に係る突出部１５０を有する第一補助部材１１０を上枠１０１に取り付けた状態を示す部分的な断面図である。
【００９６】
本変形例に係る突出部１５０も、第一の変形例と同様に、板状の部材として第一補助部材１１０の平坦面１１１から外側に突出して形成されている。ただし、第一の変形例とは異なり、本変形例においては、突出部１５０は第一補助部材１１０の室内側の端部に位置している。
【００９７】
図１３及び図１４に示した二つの変形例によっても、図１２に示した突出部１５０と同様の効果を得ることができる。
【００９８】
なお、第一補助部材１１０は、耐腐食性、軽量性及び加工の容易性を考慮して、アルミニウムでつくることが好ましい。
【００９９】
さらに、図１５に示すように、第一補助部材１１０の外側表面に樹脂のコーティング１５１を施すことが好ましい。コーティング１５１を施すことにより、第一補助部材１１０の外観を向上させるとともに、第一補助部材１１０の腐食性を向上させることができる。また、第一補助部材１１０にコーティング１５１を施すことにより、図１１に示した隙間１０１Ａ、１０３Ａ、１０４Ａを塞ぐ機能を向上させることができるので、室内側の断熱性能を上げることができる。
【図面の簡単な説明】
【０１００】
【図１】本発明の第一の実施形態に係るサッシの取り付け構造の縦断面図である。
【図２】本発明の第一の実施形態に係るサッシの取り付け構造の横断面図である。
【図３】本発明の第一の実施形態における第一補助部材の斜視図である。
【図４】本発明の第一の実施形態における第二補助部材の斜視図である。
【図５】本発明の第一の実施形態に係るサッシの取り付け構造を完成させる際の各工程を示すフローチャートである。
【図６】本発明の第二の実施形態に係るサッシの取り付け構造の縦断面図である。
【図７】本発明の第二の実施形態に係るサッシの取り付け構造の横断面図である。
【図８】本発明の第三の実施形態に係るサッシの取り付け構造の縦断面図である。
【図９】本発明の第一乃至第三の実施形態における第一補助部材と上枠との位置関係を示す断面図である。
【図１０】本発明の第四の実施形態における第一補助部材と上枠との位置関係を示す断面図である。
【図１１】外付けサッシの支持枠が歪んだ状況を示す概略図である。
【図１２】本発明の第五の実施形態における第一補助部材を上枠に取り付けた状態を示す部分的な断面図である。
【図１３】第一の変形例に係る突出部を有する第一補助部材を上枠に取り付けた状態を示す部分的な断面図である。
【図１４】第二の変形例に係る突出部を有する第一補助部材を上枠に取り付けた状態を示す部分的な断面図である。
【図１５】表面にコーティングを施した第一補助部材の断面図である。
【符号の説明】
【０１０１】
１０１  上枠
１０２  下枠
１０３  右枠
１０４  左枠
１０５、１０６  サッシ用レール
１０７、１０８  位置決め部材
１１０  第一補助部材
１１１  平坦面
１１２  側面
１１２ａ  室内側の側面
１１３、１１４  ネジ孔
１１５  ネジ
１２０  第二補助部材
１２１  底面
１２２  側面
１２３、１２４  貫通孔
１２５、１２７  ネジ
１３０  外付けサッシ
１３１  支持枠
１４０  断熱材
１４１  化粧板
１４２  防水シール
１５０  突出部
１５１  コーティング
【図１】
0004733518.tif 000002
【図２】
0004733518.tif 000003
【図３】
0004733518.tif 000004
【図４】
0004733518.tif 000005
【図５】
0004733518.tif 000006
【図６】
0004733518.tif 000007
【図７】
0004733518.tif 000008
【図８】
0004733518.tif 000009
【図９】
0004733518.tif 000010
【図１０】
0004733518.tif 000011
【図１１】
0004733518.tif 000012
【図１２】
0004733518.tif 000013
【図１３】
0004733518.tif 000014
【図１４】
0004733518.tif 000015
【図１５】
0004733518.tif 000016